(57)【要約】    【課題】被清掃面が広い場合であっても、狭い場合であっても、それに適した形態に切り換わる電気掃除機用吸込具が望まれていた。    【解決手段】吸込具１０を、第１ケーシング１１および第２ケーシング１２を有する構成とする。第１ケーシング１１は、底面に幅方向に長手の吸込口２０および内部に吸込空間２１を有する構成とする。そしてその内部に回転ブラシ２３を配置する。第２ケーシング１２は、第１ケーシング１１に組み合わされており、起立位置および通常位置に変位できるようにする。第２ケーシング１２が通常位置では、吸込具１０は従来の吸込具と同様の使用ができる。第２ケーシング１２が起立位置では、吸込具１０は隙間清掃に適した形態に切り換わる。    【効果】第２ケーシング１２を、通常位置および起立位置に切り換えることにより、通常清掃および隙間清掃の両方に適した吸込具１０を、１つの吸込具で実現できる。【選択図】            図５
2006346233.tif 000002
【特許請求の範囲】
【請求項１】
幅方向に相対的に長く、奥行方向に相対的に短い形状をし、底面に幅方向に長手の吸込口が形成され、内部に吸込空間を有する第１ケーシングと、
前記第１ケーシングの吸込空間に内蔵され、第１ケーシングの幅方向に延びる回転軸を中心に回転する回転ブラシと、
前記第１ケーシングに組み合わされており、第１ケーシングの上方側に位置する起立位置と、第１ケーシングの後方側に位置する通常位置とに変位することができ、いずれの位置であっても、第１ケーシングの吸込空間と連通している吸込流路を有する第２ケーシングと、
前記第２ケーシングの幅方向中央に突設されていて、第２ケーシングの吸込流路と連通する接続流路を有し、電気掃除機本体に取り付けられたホースやパイプの先端と接続可能である接続筒と、
を含むことを特徴とする電気掃除機用吸込具。
【請求項２】
前記接続筒は、第２ケーシングが起立位置のときに、幅方向に斜めに突出した状態になり得ることを特徴とする、請求項１記載の電気掃除機用吸込具。
【請求項３】
前記接続筒は、第２ケーシングに取り付けられた連結部と、この連結部から延び出た筒部とを含み、
連結部は、筒部をケーシングの厚み方向に揺動可能に保持していることを特徴とする、請求項１記載の電気掃除機用吸込具。
【請求項４】
前記連結部は、さらに、前記筒部をその軸方向に回動可能に保持していることを特徴とする、請求項３記載の電気掃除機用吸込具。
【請求項５】
前記第２ケーシングの吸込流路は、幅方向に見て、前記吸込空間の両端とつながり、吸込空間の幅方向両端から空気を吸い込んで第２ケーシング中央の接続流路へと導くことを特徴とする、請求項１〜４のいずれかに記載の電気掃除機用吸込具。
【請求項６】
前記回転ブラシは、前記第２ケーシングの吸込流路から吸い込まれる空気流により回転することを特徴とする、請求項５記載の電気掃除機用吸込具。
【請求項７】
前記第２ケーシングの吸込流路は、幅方向に見て、前記吸込空間の一端とつながり、吸込空間の幅方向一端から空気を吸い込んで第２ケーシング中央の接続流路へと導き、
前記第２ケーシングの吸込流路と反対側には、前記回転ブラシを駆動するためのモータが配置されていることを特徴とする、請求項１〜４のいずれかに記載の電気掃除機用吸込具。
【請求項８】
前記第２ケーシングの吸込流路は、吸込空間の幅方向中央とつながっていて、
第２ケーシングの幅方向一方側には、前記回転ブラシを駆動するためのモータが配置されていることを特徴とする、請求項１〜４のいずれかに記載の電気掃除機用吸込具。
【発明の詳細な説明】
【技術分野】
【０００１】
この発明は、電気掃除機本体に接続され、被清掃面の塵挨を空気とともに吸い込んで、電気掃除機本体側へ送るための電気掃除機用吸込具に関する。
【背景技術】
【０００２】
電気掃除機は、一般に、電動送風機を備えた本体と、本体に後端が取り付けられ、その先端には操作部が備えられたホースと、ホースの操作部に後端が接続され、その先端には吸込具が接続されるパイプとを有している。ユーザは、操作部に設けられたグリップを握り、吸込具を被清掃面に沿って前後に移動させることにより、清掃を行う。
従来の吸込具は、前後に移動される際に効率良く被清掃面の塵挨を吸い込めるよう、パイプに対していわゆるＴ字状に接続される形状をしている。すなわち、吸込具は、所定の幅、厚みおよび奥行を有するケーシングを有していて、ケーシングの幅は、厚みおよび奥行に比べて長くされている。そしてケーシングの幅方向中央に後方へ突出する接続筒が設けられ、接続筒がパイプの先端に連結される。
【０００３】
ところで、被清掃面には、面積の広い床面中央部だけではなく、床面隅の壁との境界部、ベッドの下、壁と家具との隙間等もあり、かかる被清掃面も、吸込具によって良好に塵挨が捕獲できなければならない。
そこで従来、吸込具は、パイプに対して回動可能になっており、パイプの先端で、吸込具がその角度や方向を変えられるようにされている。
【０００４】
このような構成の一例が、特開平１０−２６２８７８号公報（特許文献１）の第１９図などに示されている。
【特許文献１】特開平１０−２６２８７８号公報
【発明の開示】
【発明が解決しようとする課題】
【０００５】
特許文献１に提案されている構成では、パイプの先端に取り付けられた吸込具は、ケーシングの幅方向をパイプの長さ方向と平行な方向になるように、吸込具を回動させることができる。これにより、ケーシングの奥行方向以上の隙間があれば、吸込具をその隙間に挿入することができ、清掃を行えるというものである。
しかしながら、特許文献１に提案されている吸込具は、その奥行寸法が比較的大きく、家具と壁との隙間や、家具と家具との隙間等の、パイプがようやく入る程度の狭い幅しかない隙間には挿入することができない。そのため、従来は、パイプから吸込具を外して、パイプの先端等を用いて隙間清掃を行っている場合があった。
【０００６】
そこでこの発明は、上述のような狭い隙間であっても、良好に清掃ができるように改良された電気掃除機用吸込具を提供することを主たる目的とする。
またこの発明は、被清掃面が広い場合であっても、狭い場合であっても、それに適した形態に切り換わる電気掃除機用吸込具を提供することを目的とする。
【課題を解決するための手段】
【０００７】
請求項１記載の発明は、幅方向に相対的に長く、奥行方向に相対的に短い形状をし、底面に幅方向に長手の吸込口が形成され、内部に吸込空間を有する第１ケーシングと、前記第１ケーシングの吸込空間に内蔵され、第１ケーシングの幅方向に延びる回転軸を中心に回転する回転ブラシと、前記第１ケーシングに組み合わされており、第１ケーシングの上方側に位置する起立位置と、第１ケーシングの後方側に位置する通常位置とに変位することができ、いずれの位置であっても、第１ケーシングの吸込空間と連通している吸込流路を有する第２ケーシングと、前記第２ケーシングの幅方向中央に突設されていて、第２ケーシングの吸込流路と連通する接続流路を有し、電気掃除機本体に取り付けられたホースやパイプの先端と接続可能である接続筒と、を含むことを特徴とする電気掃除機用吸込具である。
【０００８】
請求項２記載の発明は、前記接続筒は、第２ケーシングが起立位置のときに、幅方向に斜めに突出した状態になり得ることを特徴とする、請求項１記載の電気掃除機用吸込具である。
請求項３記載の発明は、前記接続筒は、第２ケーシングに取り付けられた連結部と、この連結部から延び出た筒部とを含み、連結部は、筒部をケーシングの厚み方向に揺動可能に保持していることを特徴とする、請求項１記載の電気掃除機用吸込具である。
【０００９】
請求項４記載の発明は、前記連結部は、さらに、前記筒部をその軸方向に回動可能に保持していることを特徴とする、請求項３記載の電気掃除機用吸込具である。
請求項５記載の発明は、前記第２ケーシングの吸込流路は、幅方向に見て、前記吸込空間の両端とつながり、吸込空間の幅方向両端から空気を吸い込んで第２ケーシング中央の接続流路へと導くことを特徴とする、請求項１〜４のいずれかに記載の電気掃除機用吸込具である。
【００１０】
請求項６記載の発明は、前記回転ブラシは、前記第２ケーシングの吸込流路から吸い込まれる空気流により回転することを特徴とする、請求項５記載の電気掃除機用吸込具である。
請求項７記載の発明は、前記第２ケーシングの吸込流路は、幅方向に見て、前記吸込空間の一端とつながり、吸込空間の幅方向一端から空気を吸い込んで第２ケーシング中央の接続流路へと導き、前記第２ケーシングの吸込流路と反対側には、前記回転ブラシを駆動するためのモータが配置されていることを特徴とする、請求項１〜４のいずれかに記載の電気掃除機用吸込具である。
【００１１】
請求項８記載の発明は、前記第２ケーシングの吸込流路は、吸込空間の幅方向中央とつながっていて、第２ケーシングの幅方向一方側には、前記回転ブラシを駆動するためのモータが配置されていることを特徴とする、請求項１〜４のいずれかに記載の電気掃除機用吸込具である。
【発明の効果】
【００１２】
請求項１記載の発明によれば、回転ブラシが内蔵された第１ケーシングは、幅方向に相対的に長く、奥行方向に相対的に短い形状をしているから、第１ケーシング自体は、幅方向に狭い隙間等に挿入可能な形状となっている。請求項１に係る発明では、第１ケーシングに対し、第２ケーシングが組み合わされている。第２ケーシングは、第１ケーシングの上方側に位置する起立位置と、第１ケーシングの後方側に位置する通常位置とに変位し得る。第２ケーシングが通常位置のときは、吸込具は奥行方向に見て、第１ケーシングおよび第２ケーシングが並んでおり、従来の吸込具とほぼ同等の形状をしている。一方、第２ケーシングが起立位置では、第１ケーシングの上方側に第２ケーシングが上乗り状態となり、吸込具を奥行方向に見たときの寸法が短くなる。それゆえ、第２ケーシングを起立位置とすることにより、狭い隙間等に対し、吸込具を幅方向に挿入することが可能となる。      
【００１３】
請求項２記載の発明では、第２ケーシングを起立位置にしたとき、接続筒をケーシングの幅方向に斜めに突出する状態にできる。よって、接続筒にパイプ等を接続して、隙間清掃のために吸込具を良好に操作することができる。
請求項３、４記載の発明によれば、第２ケーシングに対して接続筒は揺動可能または回動可能であるから、パイプや操作部に対して吸込具の向きを所望の向きに変位させることができる。従って、通常清掃時であっても、隙間清掃時であっても、吸込具を所望の向きにして、使い勝手良く清掃が行える。
【００１４】
請求項５記載の発明では、第１ケーシングの吸込空間に対して、第２ケーシングの吸込流路は吸込空間の両側から空気および塵挨を吸い込む。それゆえ、第２ケーシングの吸込流路は第１ケーシングの吸込空間から効率良く空気や塵挨を吸い込むことができる。
請求項６記載の発明では、第２ケーシングの吸込流路が第１ケーシングの吸込空間の幅方向両側に連通していることを利用して、第１ケーシングに内蔵された回転ブラシを吸込時の空気流を利用して回転させる回転ブラシを採用することができる。
【００１５】
請求項７、８記載の発明では、第２ケーシングの吸込流路が一端から中央に向かう流路または中央に形成された流路であるから、第２ケーシングの少なくとも他端側に吸込流路に寄与しない空きスペースができる。そこでこの空きスペースを利用して回転ブラシを駆動するためのモータを配置することが可能である。つまり請求項７、８記載の発明では、モータにより回転されるいわゆるパワーブラシ内蔵型の吸込具を構成することが可能である。
【発明を実施するための最良の形態】
【００１６】
以下には、図面を参照して、この発明の実施形態について具体的に説明をする。
図１は、この発明の第１実施形態に係る電気掃除機用吸込具１０の平面図である。吸込具１０には、その前側に第１ケーシング１１が配置されており、第１ケーシング１１に対して第２ケーシング１２が組み合わされている。通常状態では、第２ケーシング１２は第１ケーシング１１の後方側に位置している。
【００１７】
第２ケーシング１２の幅方向（図１において左右方向）中央には、後方に突出する突部１３が形成されており、突部１３の後方側に、接続筒１４が設けられている。接続筒１４は、第２ケーシング１２の突部１３に取り付けられた連結部１５と、連結部１５によって保持された筒部１６とを含む。筒部１６は接続流路２９を形成しており、その後端に図示しないパイプ等が連結可能である。筒部１６は、連結部１５によって第２ケーシング１２に対して上下方向（図１において紙面に直交方向）に揺動自在に保持されており、かつ、筒部１６の軸を中心に回動自在に保持されている。
【００１８】
図２は、吸込具１０の正面図である。第１ケーシング１１の正面には、その幅方向（図２において左右方向）に延びるバンパー１７が貼り付けられている。バンパー１７は、弾性体で形成されており、第１ケーシング１１が家具や壁等にぶつかったときの衝撃を吸収するものである。第１ケーシング１１の下面には、幅方向両側に、吸込具１０が前後方向に移動するのを補助するためのローラー１８が備えられている。
【００１９】
図３は、吸込具１０の内部構造を示すために第１ケーシング１１および第２ケーシング１２の上カバーが外された状態を示す図である。図３において、白抜き矢印は、吸い込まれる空気の流れを示す。
第１ケーシング１１には吸込口２０（一点鎖線で示す）が形成されている。吸込口２０は第１ケーシング１１の幅方向に長手の開口である。吸込口２０につながった第１ケーシング１１内部には吸込空間２１が形成されている。そして吸込空間２１内には、吸込口２０の長さ方向に延びる回転軸２２を中心に回転する回転ブラシ２３が備えられている。回転ブラシ２３は、軸方向に延びる複数枚の弾性板２４を含む。これら弾性板２４が被清掃面の塵挨を掻き上げる。また、吸込口２０から吸い込まれる空気流を弾性板２４が受け、回転ブラシ２３が回転される。
【００２０】
第２ケーシング１２には第１ケーシング１１の吸込空間２１と連通した吸込流路２５が形成されている。吸込流路２５は、幅方向両側に流路入口２６を有し、吸込空間２１内の空気および塵挨を流路入口２６から取り込み、後方へ誘導し、幅方向中央へと誘導する。第２ケーシング１２の後方には、幅方向中央に接続筒１４の入口２７が開口している。そして入口２７から入った空気および塵挨は、接続筒１４内に形成されている接続流路２９を通り、後方の出口２８から図示しないパイプなどへ排出される。
【００２１】
図４は、吸込具１０の右側面図で、吸込具１０を通常状態で使用するときの図である。図示のように、通常時には、第１ケーシング１１の後方側に第２ケーシング１２が位置している。すなわち第２ケーシング１２は通常位置になっている。
この実施形態に係る吸込具１０の特徴の１つは、第２ケーシング１２が第１ケーシング１１に対して変位可能になっていることである。
【００２２】
図５は、第１ケーシング１１に対して第２ケーシング１２が、起立位置になった吸込具１０の右側面図である。図５に示すように、第２ケーシング１２は、第１ケーシング１１の上方側に回動し、第１ケーシング１１の上方側に位置する起立位置に変位することができる。第２ケーシング１２が起立位置では、吸込具１０は、その奥行方向の寸法が、第１ケーシング１１の奥行方向寸法とほぼ等しくなり、吸込具１０をその幅方向に狭い隙間等に挿入することが可能となる。すなわち隙間清掃に適した形態に変位させることができる。
【００２３】
第２ケーシング１２を起立位置にした場合、第２ケーシング１２に接続されている接続筒１４は、筒部１６を第２ケーシング１２の幅方向に斜めに突出するように切り換えることが可能である。すなわち、筒部１６を回動させ、かつ揺動させることにより、筒部１６が第２ケーシング１２から幅方向斜め上方へ延び出した状態にすることができる。
なお、図４、図５において、３０は、第１ケーシング１１の底面に植立された小ブラシである。
【００２４】
図６は、第２ケーシング１２が起立位置のときの吸込具１０の正面図である。図２と比較すると明らかなように、第１ケーシング１１の状態は変わらないが、第１ケーシング１１に対して第２ケーシング１２が起立位置になっているので、第１ケーシング１１の上方側に第２ケーシング１２が位置している。そして第２ケーシング１２の突出部１３に連結された接続筒１４は、連結部１５が筒部１６を揺動自在かつ回動自在に保持しているから、筒部１６が第２ケーシング１２の幅方向に斜め上方へ突出するように切り換えられている。
【００２５】
図７は、第２ケーシング１２が通常位置のときの吸込具１０の幅方向中央縦断面図であり、図８は第２ケーシング１２が起立位置のときの吸込具１０の幅方向中央縦断面図である。
また、図９および図１０は、それぞれ、図３におけるＡ−Ａ′の断面図であり、図９は第２ケーシング１２が通常位置のとき、図１０は第２ケーシング１２が起立位置のときを示している。図９、図１０において、白抜き矢印は吸い込まれる空気の流れを示す。
【００２６】
図７〜図１０から、第１ケーシング１１に組み合わされた第２ケーシング１２が、第１ケーシング１１に対して通常位置と起立位置とに切り換え可能であり、その切り換えられたときの吸込口２０、吸込空間２１および吸込流路２５の位置関係が理解できる。
この発明のように、吸込具１０を、第１ケーシング１１および第２ケーシング１２を有する構成とし、第１ケーシング１１に対して第２ケーシング１２が通常位置および起立位置に変位可能にすることにより、第２ケーシング１２が通常位置では、従来の吸込具と同様、床面に対してケーシングをその奥行方向に前後に動作させることにより、ケーシングの幅で規定される広い範囲を一度に清掃することができる。
【００２７】
一方、第２ケーシング１２を起立位置にすると、吸込具１０の奥行方向の寸法が第１ケーシング１１の奥行方向寸法程度と小さくなる。それゆえ、第２ケーシング１２を起立位置にした状態では、狭い隙間などに吸込具１０を進入させることができ、隙間清掃に適した形態となる。
このように、この発明によれば、吸込具１０は、その姿勢が通常清掃に適した姿勢と、隙間清掃に適した姿勢とに変位可能であるから、１つの吸込具１０によって、通常清掃および隙間清掃のいずれも効率良く行うことができる。
【００２８】
図１１は、この発明の第２実施形態に係る吸込具４０の平面図である。吸込具４０も、第１ケーシング１１、第１ケーシング１１と組み合わされた第２ケーシング１２、ならびに、第２ケーシング１２の幅方向中央に突設された連結部１５および筒部１６を有する接続筒１４を有している。
図１２は、吸込具４０の内部構造がわかるように第１ケーシング１１および第２ケーシング１２の上カバーが取り外された状態を示した図である。図１２において、白抜き矢印は吸い込まれる空気の流れを示す。
【００２９】
吸込具４０の特徴は、第１ケーシング１１に内蔵された回転ブラシ２３が、空気流で回転されるものではなく、モータ４１で駆動されるようになっていることである。モータ４１は、第２ケーシング１２の幅方向左寄りの空間内（図１２において左側）に設けられている。モータ４１の回転軸にはギヤ４２が取り付けられている。また、回転ブラシ２３には、その左端の回転軸２２にギヤ４３が取り付けられている。そしてギヤ４２、４３間にはベルト４４が掛け渡されている。これにより、回転ブラシ２３はモータ４１の駆動力により回転される。
【００３０】
モータ４１が第２ケーシング１２に内蔵されているため、第２ケーシング１２の吸込流路２５は、幅方向左右両側から吸い込む流路ではなく、片側からだけ吸い込む流路となっている。すなわち、第１ケーシング１１の吸込空間２１内の空気や塵挨は、第２ケーシング１２の右側に形成された流路入口２６から吸込流路２５を通って、幅方向中央に連結されている接続筒１４の入口２７へと導かれる。
【００３１】
なお、第２ケーシング１２内には、モータ４１の駆動制御をするための基板４５や配線が、空きエリアを利用して設けられている。
第２実施形態に係る吸込具４０も、第１実施形態に係る吸込具１０と同様、第１ケーシング１１に対して第２ケーシング１２が、通常位置および起立位置に変位可能になっている。これがこの吸込具４０の特徴である。
【００３２】
図１３は、第２ケーシング１２が通常位置のときの吸込具４０の右側面図であり、図１４は、第２ケーシング１２が起立位置のときの吸込具４０の右側面図である。
また、図１５は、第２ケーシング１２が通常位置のときの吸込具４０の幅方向中央縦断面図であり、図１６は、第２ケーシング１２が起立位置のときの吸込具４０の幅方向中央縦断面図である。さらに、図１７および図１８は、図１２におけるＡ−Ａ′に沿って切断した断面図であって、それぞれ、第２ケーシング１２が通常位置のときおよび第２ケーシング１２が起立位置のときを示している。図１７、図１８において、白抜き矢印は吸い込まれる空気の流れを示す。
【００３３】
これら図１３〜図１８から、吸込具４０も、吸込具１０と同様、通常清掃に適した状態と、隙間清掃に適した状態とにその形態が変位可能であり、しかも、第１ケーシング１１はいずれの形態においても、被清掃面に対して吸込具２０が対向しているので、いずれの形態においても被清掃面の清掃に適した状態であることが理解できる。
なお、吸込具４０では、回転ブラシ２３がモータ４１で駆動されるため、たとえば第２ケーシング１２を起立位置にした隙間清掃に適した形態において、回転ブラシ２３を回転させないように制御することも可能である。
【００３４】
吸込具４０のその他の構成は、先に説明した吸込具１０の構成と同様であり、同一または対応する部分には部分には同一番号を付して、重複した説明は省略する。
図１９は、この発明の第３実施形態に係る電気掃除機用吸込具５０の平面図である。吸込具５０には、第１ケーシング１１および第２ケーシング１２ならびに連結部１５および筒部１６を有する接続筒１４が含まれている。さらに、第１ケーシング１１と第２ケーシング１２とを連通するための吸込流路２５が備えられている。吸込具５０において、吸込流路２５はいわゆる蛇腹状で、伸縮性および可撓性のある構造とされている。
【００３５】
図２０は、吸込具５０の内部構造がわかるように第１ケーシング１１および第２ケーシング１２の上カバーが外された状態を示した図である。図２０において、白抜き矢印は吸い込まれる空気の流れを示す。
吸込具５０も、モータ４１によって回転ブラシ２３が駆動される構成となっている。このため、モータ４１にはその回転軸に取り付けられたギヤ４２が備えられ、回転ブラシ２３には回転軸２２の左端に設けられたギヤ４３が備えられ、ギヤ４２および４３はベルト４４によってつながれている。
【００３６】
吸込具５０の特徴は、吸込具１０、４０と同様、第１ケーシング１１に対して第２ケーシング１２は通常位置および起立位置に変位可能になっていることである。また、第１ケーシング１１の吸込空間２１と第２ケーシング１２に取り付けられた接続筒１４の入口２７とをつなぐ吸込流路２５が蛇腹パイプ５１で構成されていることである。
図２１は、吸込具５０の幅方向中央縦断面図で、第２ケーシング１２が通常位置のときを示しており、図２２は、同縦断面図で、第２ケーシング１２が起立位置のときを示している。
【００３７】
図２１，２２に示されるように、第２ケーシング１２が通常位置および起立位置に切り換わった場合、その中央の蛇腹パイプ５１が、第２ケーシング１２の変位に追従し、第１ケーシング１１の吸込空間２１と第２ケーシング１２に取り付けられた接続筒１４の入口との間を、吸込流路２５がつなぐように対応する。
吸込具５０のその他の構成は、先に説明した吸込具１０および吸込具４０と同様であり、同一部分には同一番号を付して重複した説明は省略する。
【００３８】
この発明は、以上説明した実施形態に限定されるものではなく、請求項記載の範囲内において種々の変更が可能である。
【図面の簡単な説明】
【００３９】
【図１】この発明の第１実施形態に係る電気掃除機用吸込具１０の平面図である。
【図２】吸込具１０の正面図である。
【図３】吸込具１０の内部構造を示すために第１ケーシング１１および第２ケーシング１２の上カバーが外された状態を示した図である。
【図４】吸込具１０の右側面図で、吸込具１０を通常状態で使用するときの図である。
【図５】第１ケーシング１１に対して第２ケーシング１２が起立位置になった吸込具１０の右側面図である。
【図６】第２ケーシング１２が起立位置のときの吸込具１０の正面図である。
【図７】第２ケーシング１２が通常位置のときの吸込具１０の幅方向中央縦断面図である。
【図８】第２ケーシング１２が起立位置のときの吸込具１０の幅方向中央縦断面図である。
【図９】図３におけるＡ−Ａ′の断面図であり、第２ケーシング１２が通常位置のときの図である。
【図１０】図３におけるＡ−Ａ′の断面図であり、第２ケーシング１２が起立位置のときの図である。
【図１１】この発明の第２実施形態に係る吸込具４０の平面図である。
【図１２】吸込具４０の内部構造がわかるように第１カバー１１および第２カバー１２が取り外された状態を示した図である。
【図１３】第２ケーシング１２が通常位置のときの吸込具４０の右側面図である。
【図１４】第２ケーシング１２が起立位置のときの吸込具４０の右側面図である。
【図１５】第２ケーシング１２が通常位置のときの吸込具４０の幅方向中央縦断面図である。
【図１６】第２ケーシング１２が起立位置のときの吸込具４０の幅方向中央縦断面図である。
【図１７】図１２におけるＡ−Ａ′に沿って切断した断面図であって、第２ケーシング１２が通常位置のときの図である。
【図１８】図１２におけるＡ−Ａ′に沿って切断した断面図であって、第２ケーシング１２が起立位置のときの図である。
【図１９】この発明の第３実施形態に係る電気掃除機用吸込具５０の平面図である。
【図２０】吸込具５０の内部構造がわかるように第１カバー１１および第２カバー１２が外された状態を示した図である。
【図２１】吸込５０の幅方向中央縦断面図で、第２ケーシング１２が通常位置のときの図である。
【図２２】吸込５０の幅方向中央縦断面図で、第２ケーシング１２が起立位置のときの図である。
【符号の説明】
【００４０】
１０、４０、５０    電気掃除機用吸込具
１１    第１ケーシング
１２    第２ケーシング
１４    接続筒
１５    連結部
１６    筒部
２０    吸込口
２１    吸込空間
２３    回転ブラシ
２５    吸込流路
２９    接続流路
４１    モータ
５１    蛇腹パイプ
【図１】
2006346233.tif 000003
【図２】
2006346233.tif 000004
【図３】
2006346233.tif 000005
【図４】
2006346233.tif 000006
【図５】
2006346233.tif 000007
【図６】
2006346233.tif 000008
【図７】
2006346233.tif 000009
【図８】
2006346233.tif 000010
【図９】
2006346233.tif 000011
【図１０】
2006346233.tif 000012
【図１１】
2006346233.tif 000013
【図１２】
2006346233.tif 000014
【図１３】
2006346233.tif 000015
【図１４】
2006346233.tif 000016
【図１５】
2006346233.tif 000017
【図１６】
2006346233.tif 000018
【図１７】
2006346233.tif 000019
【図１８】
2006346233.tif 000020
【図１９】
2006346233.tif 000021
【図２０】
2006346233.tif 000022
【図２１】
2006346233.tif 000023
【図２２】
2006346233.tif 000024